(57)【要約】【課題】本発明は、クレジットカード処理システムに使用するサーバ、記録媒体及びプログラムに関し、伝票データをサーバにてまとめて電子的に保管し、運用するか又はサーバにて必要な伝票のみまとめて印字することで決済端末でのペーパーレス化を図る。【解決手段】受信した決済結果を決済端末１毎にファイル装置３０に格納する手段と、決済結果に関し、加盟店又はカード会社で保管すべきカード会社保管伝票をサーバ９上に電子データとして保管し、加盟店が伝票保管を行う場合はそのままサーバ９上に保管し、伝票照会を受けた時に電子データを検索して出力する手段と、加盟店毎に予め登録しておいた情報を基に、決済結果を加盟店本部等に即時又は一括送信する手段と、利用者の個々の都合に併せて、決済結果を基に他のシステムへ送信可能にした手段とを備えた。【選択図】　　　　図１
2004038834.tif 000002
【特許請求の範囲】
【請求項１】
クレジットカードの決済を行う決済端末と、該決済端末と通信回線を介して接続されたサーバを含むクレジットカード処理システムのサーバにおいて、
前記決済端末から取引の都度送信されたクレジットカードの決済結果を受信する決済結果受信手段と、
前記受信した決済結果を、決済端末毎に分けてファイル装置に格納する決済結果格納手段と、
前記決済結果に関し、加盟店又はカード会社で保管すべきカード会社保管伝票はサーバ上に電子データとして保管すると共に、加盟店が伝票保管を行う場合はそのままサーバ上に保管し、伝票照会を受けた時に電子データを検索して出力するカード会社保管伝票管理手段と、
加盟店毎に、予め登録しておいた情報を用いて、決済結果を加盟店本部に即時又は一括送信する加盟店控伝票処理手段と、
利用者の個々の都合に合わせて、前記決済結果を基に他のシステムへ送信可能にした利用者控え伝票処理手段を備えていることを特徴とするクレジットカード処理システムのサーバ。
【請求項２】
前記決済結果を基に、利用者控え、加盟店控え、カード会社控えを、予め登録しておいた情報を用いて加盟店毎に出力先を選択する出力先判定手段を備えていることを特徴とする請求項１記載のクレジットカード処理システムのサーバ。
【請求項３】
クレジットカードの決済を行う決済端末と、該決済端末と通信回線を介して接続されたサーバを含むクレジットカード処理システムのサーバにおいて、
前記決済端末で実施した日計処理の結果を受信する日計処理結果受信手段と、
前記受信した日計処理結果を、決済端末毎に分けてファイル装置に格納する日計処理結果格納手段と、
決済端末毎の日計処理結果をチェックし、異常取引に該当する加盟店控え伝票データを検索して、加盟店指定のコンソールに出力する異常取引出力制御手段と、
決済端末毎の日計処理結果を集計して、カード会社毎、部門毎、店毎、或いは加盟店全体等のデータを集計する集計手段とを備えていることを特徴とする請求項１記載のクレジットカード処理システムのサーバ。
【請求項４】
コンピュータに、
前記決済端末から取引の都度送信されたクレジットカードの決済結果を受信する決済結果受信手段と、
前記受信した決済結果を、決済端末毎に分けてファイル装置に格納する決済結果格納手段と、
前記決済結果に関し、加盟店又はカード会社で保管すべきカード会社保管伝票はサーバ上に電子データとして保管すると共に、加盟店が伝票保管を行う場合はそのままサーバ上に保管し、伝票照会を受けた時に電子データを検索して出力するカード会社保管伝票管理手段と、
加盟店毎に、予め登録しておいた情報を用いて、決済結果を加盟店本部に即時又は一括送信する加盟店控伝票処理手段と、
利用者の個々の都合に合わせて決済結果を基に他のシステムへ送信可能にした利用者控え伝票処理手段の機能を実現させるためのプログラムを格納したコンピュータ読みとり可能な記録媒体。
【請求項５】
コンピュータに、
前記決済端末から取引の都度送信されたクレジットカードの決済結果を受信する決済結果受信手段と、
前記受信した決済結果を、決済端末毎に分けてファイル装置に格納する決済結果格納手段と、
前記決済結果に関し、加盟店又はカード会社で保管すべきカード会社保管伝票はサーバ上に電子データとして保管すると共に、加盟店が伝票保管を行う場合はそのままサーバ上に保管し、伝票照会を受けた時に電子データを検索して出力するカード会社保管伝票管理手段と、
加盟店毎に、予め登録しておいた情報を用いて、決済結果データを加盟店本部に即時又は一括送信する加盟店控伝票処理手段と、
利用者の個々の都合に併せて、決済結果を基に他のシステムへ送信可能にした利用者控え伝票処理手段の機能を実現させるためのプログラム。
【発明の詳細な説明】
【０００１】
【発明の属する技術分野】本発明は、決済端末とサーバを含み、クレジットカードの決済用に利用されるクレジットカード処理システムのサーバ、記録媒体及びプログラムに関する。
【０００２】
【従来の技術】以下、従来例について説明する。なお、本明細書では、決済端末１が行うクレジットカードの決済取引の決済結果データを、単に「決済結果」とも記す。
【０００３】
§１：従来例のシステムの説明
（１）　：システムの説明
図１０は、従来のシステムの説明図である。このシステムは、クレジットカードの決済を行うためのシステムであり、加盟店（クレジットカードの加盟店）に設けた決済端末（又は、クレジット端末）１と、クレジット情報処理センタに設けたコンピュータ５と、カード会社毎に設けたコンピュータ６とをそれぞれ通信回線で接続したシステムである。
【０００４】
このシステムにおいて、加盟店に設けた決済端末１は、加盟店内に１台又は複数台設けてあり、それぞれの決済端末１には伝票を印刷するための伝票プリンタ２が接続されている。そして、決済端末１では、取引が行われると、その取引について、クレジット取引電文を作成し、クレジット情報処理センタのコンピュータ５へ送信する。
【０００５】
前記コンピュータ５ではカード会社の振り分けを行い、該当するカード会社のコンピュータ６に対して、チェック（信用照会）の情報を送信し、該コンピュータ６側において信用調査を行い、その結果をコンピュータ５へ返答する。この場合のカード会社のチェックでは、顧客がブラックリストに載っているか否か、カードの紛失、盗難届けが出ているか否か、与信枠のチェック等を行う。
【０００６】
このようなカード会社のチェック結果をコンピュータ５が受け取ると、その情報を該当する加盟店の決済端末１へ送信し応答する。決済端末１では、取引が可能な状態になると、顧客取引を行い、取引毎に前記伝票プリンタ２により伝票を印刷して出力する。そして、前記印刷済みの伝票は、加盟店内に蓄積しておき、指定の期日（締めの日）になると封筒に入れカード会社等へ郵送（締めの日毎に郵送）する。
【０００７】
（２）　：印刷出力する伝票の説明
図１１は従来の処理説明図である。前記のようにして、顧客とのカードによる取引が行われた際、決済端末１で伝票プリンタ２により印刷出力される伝票としては、▲１▼：カード会社保管伝票、▲２▼：加盟店控え伝票、▲３▼：お客さま控え伝票の３種類である。そして、前記カード会社保管伝票は、カード会社へ郵送する伝票となり、加盟店控え伝票は、加盟店が紙の伝票のまま保管する伝票となり、お客さま控え伝票は、取引の顧客へ渡す伝票となる。
【０００８】
【発明が解決しようとする課題】前記のような従来のものにおいては、次のような課題があった。
【０００９】
従来のクレジットカード決済用のシステムにおいては、加盟店に設置された決済端末（クレジット端末）を使って決済取引を行う際、通常、取引毎に、カード会社保管伝票、加盟店控え伝票、お客さま控え伝票の３種類の伝票を決済端末から印刷出力していた。従って、全ての決済端末には伝票プリンタを備え、この伝票プリンタにより伝票を印刷して出力する必要があった。
【００１０】
この場合、▲１▼：伝票用紙の消費量が多く、伝票コストが嵩む（決済コストに影響）し、伝票用紙の交換等に手間がかかる。▲２▼：伝票管理や保管の負担が大きい。そのため、加盟店での伝票確認（日計と各取引伝票の突き合わせ確認等）の負荷が大きいし、伝票の保管や伝票送付の事務処理負荷が大きい（出力伝票の仕分、分類、送付、保管）等の課題がある。
【００１１】
このように、伝票プリンタを具備することが、コスト、サイズ、重量等の軽減を阻害する要因となっており、また、決済端末の故障を起こす主な原因の一つにもなっている。
【００１２】
ところで、最近、次のような状況変化がある。
【００１３】
▲１▼：ＩＣカード化の進展により、利用者（顧客）にサインを求める頻度が減少し、ＰＩＮ（Ｐｅｒｓｏｎａｌ　Ｉｄｅｎｔｉｆｉｃａｔｉｏｎ　Ｎｕｍｂｅｒ：暗証番号）入力等、電子的な検証手段に置き変わっていく。
【００１４】
▲２▼：伝票運用規定に関する各種ガイドライン、法律等が規制緩和の方向に向かいつつある（保管方法、形態）。
【００１５】
▲３▼：ＰＯＳ先加盟店（センタ間接続端末）でのサービス向上や、自動機、自動販売機での対応等の新しい要請に対応する方向に向かいつつある（アルバイト店員／店現場に係員不在等の状況での、伝票置き去り対策等）。
【００１６】
このような状況変化により、電子化が進んでおり、紙による伝票は必要ではなくなりつつある。
【００１７】
そこで本発明は、前記の状況変化を踏まえて前記従来の課題を解決し、決済端末での伝票印字出力（紙の出力）をやめることで、伝票データをサーバにてまとめて電子的に保管し、運用するか、又はサーバにて必要な伝票のみまとめて印字するようにして、決済端末でのペーパーレス化を図ることを目的とする。
【００１８】
【課題を解決するための手段】本発明は前記の目的を達成するため、次のように構成した。
【００１９】
（１）　：クレジットカードの決済を行う決済端末と、該決済端末と通信回線を介して接続されたサーバを含むクレジットカード処理システムのサーバにおいて、前記決済端末から取引の都度送信されたクレジットカードの決済結果を受信する決済結果受信手段と、前記受信した決済結果を、決済端末毎に分けてファイル装置に格納する決済結果格納手段と、前記決済結果に関し、加盟店又はカード会社で保管すべきカード会社保管伝票はサーバ上に電子データとして保管すると共に、加盟店が伝票保管を行う場合はそのままサーバ上に保管し、伝票照会を受けた時に電子データを検索して出力するカード会社保管伝票管理手段と、加盟店毎に、予め登録しておいた情報を用いて、決済結果データを加盟店本部に即時又は一括送信する加盟店控伝票処理手段と、利用者の個々の都合に合わせて、前記決済結果を基に他のシステムへ送信可能にした利用者控え伝票処理手段を備えていることを特徴とする。
【００２０】
（２）　：前記（１）　のクレジットカード処理システムのサーバにおいて、前記決済結果を基に、利用者控え、加盟店控え、カード会社控えを、予め登録しておいた情報を用いて加盟店毎に出力先を選択する出力先判定手段を備えていることを特徴とする。
【００２１】
（３）　：クレジットカードの決済を行う決済端末と、該決済端末と通信回線を介して接続されたサーバを含むクレジットカード処理システムのサーバにおいて、前記決済端末で実施した日計処理の結果を受信する日計処理結果受信手段と、前記受信した日計処理結果を、決済端末毎に分けてファイル装置に格納する日計処理結果格納手段と、決済端末毎の日計処理結果をチェックし、異常取引に該当する加盟店控え伝票データを検索して、加盟店指定のコンソールに出力する異常取引出力制御手段と、決済端末毎の日計処理結果を集計して、カード会社毎、部門毎、店毎、或いは加盟店全体等のデータを集計する集計手段とを備えていることを特徴とする。
【００２２】
（作用）
前記構成に基づく本発明の作用を図１に基づいて説明する。
【００２３】
（ａ）　：前記（１）　では、決済結果受信手段（通信処理部２５等）は、決済端末１から取引の都度送信された決済結果を受信し、決済結果格納手段（取引管理部２６、ファイル制御部２８）は、受信した決済結果を、前記決済端末毎に分けてファイル装置３０に格納する。
【００２４】
また、カード会社保管伝票管理手段（取引管理部２６の一部）は、前記決済結果に関し、加盟店又はカード会社で保管すべきカード会社保管伝票はサーバ９上に電子データとして保管すると共に、加盟店が伝票保管を行う場合はそのままサーバ９上に保管し、伝票照会を受けた時に電子データを検索して出力する。
【００２５】
また、加盟店控伝票処理手段（取引管理部２６の一部）は、加盟店毎に、予め登録しておいた情報を用いて、決済結果データを加盟店本部に即時又は一括送信する。更に、利用者控え伝票処理手段（取引管理部２６の一部）は、利用者の個々の都合に合わせて決済結果を基に他のシステムへ送信する処理を行う。
【００２６】
このようにすれば、決済端末１での伝票印字出力（紙の出力）をやめることで、伝票データをサーバ９にてまとめて電子的に保管し、運用するか、又はサーバ９の伝票プリンタ２９にて必要な伝票のみまとめて印字するようにして、決済端末１でのペーパーレス化を図ることができる。
【００２７】
従って、従来のように決済端末１に伝票プリンタを搭載する必要がなくなり、該決済端末１の小型化、軽量化、コスト低減に寄与すると共に、より汎用的な装置で決済を実施可能にすることができる。
【００２８】
（ｂ）　：前記（２）　では、出力先判定手段は、決済結果を基に、利用者控え、加盟店控え、カード会社控えを、予め登録しておいた情報を用いて、加盟店毎に出力先を選択する。このようにすれば、利用者（顧客）のサービス向上を図ることができる。
【００２９】
（ｃ）　：前記（３）　では、日計処理結果受信手段は、決済端末１で実施した日計処理の結果を決済端末１から受信し、日計処理結果格納手段は、受信した日計処理結果を、決済端末１毎に分けてファイル装置３０に格納する。
【００３０】
そして、異常取引出力制御手段は決済端末毎の日計処理結果をチェックし、異常取引に該当する加盟店控え伝票データを検索して、加盟店指定のコンソールに出力する。更に、集計手段は、決済端末毎の日計処理結果を集計して、カード会社毎、部門毎、店毎、或いは加盟店全体等のデータを集計する。このようにすれば、加盟店の省力化、システム化進展に寄与するところが大きい。
【００３１】
【発明の実施の形態】以下、本発明の実施の形態を図面に基づいて詳細に説明する。
【００３２】
§１：システムの説明
図２はシステムの構成図である。以下、図２に基づいて、クレジッシカード処理システムを説明する。このシステムは、クレジットカードの決済を行う決済端末（又は、クレジット端末）１と、該決済端末１と通信回線を介して接続されたサーバ９とを含むクレジットカード処理システムの例である。
【００３３】
決済端末１はクレジットの加盟店に設置されており、１台又はそれ以上の複数台設けてある。この決済端末１には、端末内の各種制御や処理等を行うＣＰＵ１１と、各種データを格納する書き込み可能なメモリ１２と、他の装置と通信を行う場合の通信処理（受信電文の解析、受信情報の抽出、通信用の電文作成等）を行う通信処理部１３と、通信時の通信制御を行う通信制御部１４と、クレジットカードの決済処理を行うカード決済処理部１５等を備えている。
【００３４】
また、決済端末１には、更に、クレジットカードを挿入して、必要な情報を読み出したりするためのカード入力部１６と、取引に必要な情報を表示する表示部１７と、必要な情報をキー入力するためのキー入力部１８等を備えている。
【００３５】
また、サーバ９には、装置内の各種制御や処理を行うＣＰＵ２１と、各種データを格納する書き込み可能なメモリ２２と、通信時に通信制御を行う通信制御部２３、２４と、各種通信処理（受信電文の解析、受信情報の抽出、通信用の電文作成等）を行う通信処理部２５と、クレジットカードによる取引の管理を行う取引管理部２６と、伝票データを印刷出力する際の出力処理を行う伝票出力部２７と、ファイル装置３０へのデータの格納や必要な情報の読み出し等を行うファイル制御部２８等を備えている。更に、サーバ９には、伝票プリンタ２９、ファイル装置（例えば、ハードディスク装置）３０等を備えている。
【００３６】
また、サーバ９は、クレジット情報処理センタのコンピュータ５や、カード会社のコンピュータ６と通信回線を介して接続し、信用照会又は売り上げ照会を行えるようになっている。更に、サーバ９は、データセンタのコンピュータ７と接続して、取引記録の結果データを送信して取引記録の結果データを登録する機能も備えている。
【００３７】
なお、サーバ９の通信処理部２５と、取引管理部２６と、伝票出力部２７と、ファイル制御部２８は、それぞれプログラムで構成する。そして、該プログラムをＣＰＵ２１が実行することにより、通信処理部２５と、取引管理部２６と、伝票出力部２７と、ファイル制御部２８の各機能を実現する。
【００３８】
§２：処理の概要
図３は処理概要説明図である。前記システムにおける処理概要は次の通りである。
【００３９】
（１）　：カード会社保管伝票は、従来は決済端末１で伝票プリンタ２により印刷出力していたが、本発明ではサーバ９のファイル装置３０に電子デーとして蓄積し、次のように処理する。
【００４０】
▲１▼：加盟店が保管する場合、そのまま電子データとして保管し、カード会社からの照会があった時に検索し出力して提示する。
【００４１】
▲２▼：カード会社等が保管する場合、一括印刷出力して、クレジット情報処理センタ（又は、一括保管センタ）等に送付する。
【００４２】
（２）　：加盟店控え伝票は、従来は決済端末１で伝票プリンタ２により印刷出力していたが、本発明ではサーバ９のファイル装置３０に電子データとして蓄積し、次のように処理する。
【００４３】
▲１▼：売り上げデータ（取引結果）をサーバ９より加盟店本部のコンピュータに送信する（即時又は一括）。
【００４４】
▲２▼：日計処理の自動化処理を行なう｛決済端末１で作成した日計表（電子データ）をサーバ９にてチェックし、異常取引に該当する伝票を検索してコンソール（パーソナルコンピュータ等）｝に出力する。
【００４５】
（３）　：お客様控え伝票は、従来は決済端末１で伝票プリンタ２により印刷出力していたが、本発明ではサーバ９のファイル装置３０に電子データとして蓄積し、次のように処理する。
【００４６】
▲１▼：サーバ９にて伝票をまとめて印刷する。
【００４７】
▲２▼：他のシステムへ送信（他システムで伝票出力）又は登録済の利用者へメール通知、又は利用者毎の取引履歴データとしてｗｅｂ登録する。
【００４８】
§３：システムの処理の説明
図４はシステムの処理説明図である。図４に示したクレジットカード処理システムでは、次のようにして処理を行う。
【００４９】
（１）　：決済端末１において、カード決済処理部１５の処理により、クレジットカードの決済が行われると、カード決済処理部１５から通信処理部１３へ決済結果のデータが送られ、通信処理部１３で決済結果の電文を作成し、通信制御部１４からサーバ９へ決済結果の電文を送信する。
【００５０】
サーバ９では、通信制御部２３が前記決済端末１からの電文受信を行い、受信した電文は通信処理部２５で元の決済結果のデータを抽出し、取引管理部２６へ送る。取引管理部２６は、受け取った決済結果の管理を行い、ファイル制御部２８へ指示を出し、ファイル装置３０に決済取引の結果データ（決済結果）を格納（登録）する。
【００５１】
このようにして、決済端末１から送られた決済取引の結果データは、サーバ９のファイル装置３０（例えば、ハードディスク装置）に格納（又は登録）される。この場合、取引管理部２６は次のようにして管理を行う。
【００５２】
▲１▼：加盟店が保管する場合、そのままファイル装置３０に電子データとして保管し、カード会社からの照会があった時に検索し出力して提示する。
【００５３】
▲２▼：カード会社が保管する場合、一括印刷出力して、クレジット情報処理センタのコンピュータ５等に送る。
【００５４】
（２）　：加盟店控え伝票は、サーバ９のファイル装置３０に電子データとして蓄積し、次のように処理する。
【００５５】
▲１▼：売り上げデータ（取引結果）をサーバ９より加盟店本部のコンピュータに送信する（即時又は一括）。
【００５６】
▲２▼：日計処理の自動化処理を行う｛決済端末１で作成した日計表（電子データ）をサーバ９にてチェックし、異常取引に該当する伝票を検索してコンソール（パーソナルコンピュータ等）｝に出力する。
【００５７】
（３）　：お客様控え伝票は、サーバ９のファイル装置３０に電子データとして蓄積し、次のように処理する。
【００５８】
▲１▼：サーバ９にて伝票をまとめて伝票プリンタ２９により印刷する。
【００５９】
▲２▼：他のシステムへ送信（他システムで伝票出力）又は登録済の利用者へメール通知、又は利用者毎の取引履歴データとしてｗｅｂ登録する。
【００６０】
§４：例１の説明
図５は例１の説明図である。以下、図５に基づいて例１の処理を説明する。
【００６１】
例１は、クレジットカードの決済を行う決済端末１と、該決済端末１と通信回線を介して接続されたサーバ９を含むクレジットカード処理システムの例であり、サーバ９には、クレジット情報処理センタ内のコンピュータ５が通信回線を介して接続され、更に、前記クレジット情報処理センタ内のコンピュータ５には、カード会社のコンピュータ６が通信回線を介して接続されている。以下、前記システムの処理を説明する。
【００６２】
▲１▼：加盟店またはカード会社で保管すべきカード会社保管伝票をサーバ９上に電子データとして保管すると共に、加盟店が伝票保管を行う場合はそのままサーバ９上に保管し、伝票照会を受けた時に電子データを検索して出力する処理（カード会社保管伝票処理）を行う。
【００６３】
▲２▼：加盟店毎に予め登録しておいた情報を用いて、決済結果を加盟店本部のコンピュータ等に即時又は一括送信する処理（加盟店控え伝票処理）を行う。
【００６４】
▲３▼：利用者の個々の都合に併せて、決済結果を基に他のシステムに送信する処理（利用者控伝票処理）を行う。
【００６５】
決済端末１は業務を開始すると、先ず、表示部１７の表示画面に業務メニューを表示する。この表示画面によりオペレータは、業務選択／取引種別選択、暗証番号（オペレータの暗証番号）入力等を行う。この場合、クレジット／デビッドカード等の選択を行い、売り上げ、取り消し／承認後売り上げ等の処理を行う。
【００６６】
そして、決済端末１は、「カードをどうぞ」の表示を行い、クレジットカードの挿入を促す。その後、オペレータがクレジットカードをこする（入力する）と、決済端末１では、表示部１７の表示画面に、金額等入力案内を表示する。この表示により、オペレータが、商品コード、金額、支払い方法等を入力すると、表示部１７の表示画面に、ＰＩＮ（利用者の暗証番号）入力案内を表示する。
【００６７】
前記表示により、利用者によるＰＩＮ（暗証番号）入力が行われると、決済端末１では、通信処理部１３がカード決済処理部１５から受け取ったデータを基に、売り上げ処理要求の電文を作成し、この電文を、サーバ９を介して、クレジット情報処理センタのコンピュータ５へ送信する。
【００６８】
この時、クレジット情報処理センタのコンピュータ５では、受信した前記電文を、カード会社のコンピュータ６へ送信する。その後、前記カード会社のコンピュータ６からクレジット情報処理センタのコンピュータ５へ返答電文が送られると、コンピュータ５からサーバ９を介して決済端末１へ売上等応答電文が送られる。
【００６９】
前記応答電文を受信した決済端末１では、前記応答電文に書かれている結果を表示部１７の表示画面に表示する。そして、決済端末１は、決済結果データをサーバ９へ送信し、業務メニューの表示へ移行する。サーバ９では、決済端末１からの決済結果データを受信すると、その決済結果データをファイル装置３０に登録（決済端末１毎に分けて登録）すると共に、取引管理部２６は利用者控とカード会社控を作成する。
【００７０】
そして、登録した「決済結果」の加盟店控は加盟店本部へ送り、利用者控はファイル装置３０に登録した後、利用者控は他システム（例えば、データセンタのコンピュータ７）へ送信する。また、カード会社控は印字イメージデータをファイル装置３０に登録した後、カード会社保管伝票は、カード会社へ送る。
【００７１】
§５：例２の説明
図６は例２の説明図である。以下、図６に基づいて例２の処理を説明する。
【００７２】
例２は、前記例１のシステムにおいて、決済結果データを基に、利用者控、加盟店控、カード会社控を、予め登録した情報を用いて出力先を選択する処理を行う例である。
【００７３】
決済端末１では、例１と同様にして、前記応答電文に書かれている結果を表示部１７の表示画面に表示する。そして、決済端末１は、決済結果データをサーバ９へ送信し、業務メニューの表示へ移行する。
【００７４】
サーバ９では、決済端末１からの決済結果データを通信制御部２３を介して受信すると、その受信データを通信処理部２５が受け取って決済結果データを抽出し、取引管理部２６へ渡す。その後、取引管理部２６がファイル制御部２８に依頼し、該ファイル制御部２８の制御により、その決済結果データをファイル装置３０に登録（決済端末１毎に分けて登録）する。そして、取引管理部２６の依頼により、伝票プリンタ２９が、加盟店控えと、利用者控と、カード会社控を紙に印刷して出力する。
【００７５】
この場合、サーバ９では、ファイル装置３０（例えば、ハードディスク装置）に、予め、出力先情報（例えば、「出力先登録テーブル」）を決済端末毎に分けて格納（登録）しておき、この出力先情報（出力先登録テーブル）と、決済端末１から受信した決済結果から、該データの出力先を判定する。
【００７６】
この出力先情報（出力先登録テーブル）例としては、例えば、加盟店Ａについては、決済端末番号Ａ１の出力先＝ｍ１、決済端末番号Ａ２の出力先＝ｍ２、決済端末番号Ａ３出力先＝ｍ３・・・のように、出力先ｍ１、ｍ２、ｍ３、・・・等を登録しておく。また、加盟店Ｂについては、決済端末番号Ｂ１の出力先＝ｎ１、決済端末番号Ｂ２の出力先＝ｎ２、決済端末番号Ｂ３の出力先＝ｎ３・・・のように、出力先ｎ１、ｎ２、ｎ３・・・等を登録しておく。
【００７７】
このようにして、取引管理部２６は、予め登録した出力先登録テーブルを基に、決済端末１から受信した決済結果（決済取引結果）のデータに含まれている決済端末１の番号を用いて出力先を判定する。
【００７８】
まず、取引管理部２６が加盟店控え出力先判定を行い、決済結果データ（ファイル装置３０の電子データ）は加盟店本部のコンピュータへ送り、印刷した加盟店控えは加盟店本部へ送る。
【００７９】
次に、取引管理部２６は、利用者控え出力先判定を行い、利用者取引情報（電子データ）は、ｗｅｂ登録をして利用者へ送ったり、ｅ−ｍａｉｌで利用者へ送る。また、印刷した利用者控えは利用者へ渡す。
【００８０】
次に、取引管理部２６は、カード会社控え出力先判定を行い、印字イメージデータ（印刷用に作成した電子データ）は、カード会社のコンピュータ６へ送り、印刷したカード会社控は、一括印字して保管し、締め日にまとめてカード会社へ送る。
【００８１】
§６：例３の説明
図７は例３の説明図である。以下、図７に基づいて例３の処理を説明する。
【００８２】
例３は、次のような処理を行う。
【００８３】
（１）　：決済端末１で実施した日計処理の結果（日計データ）をサーバ９へ送信し、サーバ９上で、決済端末１毎に日計データをファイル装置３０に格納（登録）する。そして、サーバ９では次のような処理を行う。
【００８４】
▲１▼：決済端末１毎の日計データ（日計の決済結果データ）をサーバ９の取引管理部２６がチェックし、異常取引に該当する加盟店控え伝票データを検索して加盟店指定のコンソールに出力する。
【００８５】
▲２▼：決済端末１毎の日計データを集計して、カード会社毎、部門毎、店毎、或いは加盟店全体等のデータを集計する。
【００８６】
以上の処理により、従来は各決済端末１毎に実施していた日計処理を、サーバ９の管理者用コンソール（例えば、パーソナルコンピュータ）に一元化し、かつ集計処理を自動化する。以下、具体的に処理を説明する。
【００８７】
決済端末１は業務メニューの表示をする。この業務メニューを見たオペレータが、該業務メニューの日計業務を選択すると、決済端末１において日計処理を行い、日計結果をサーバ９へ送信（日計結果の登録依頼）する。その後、サーバ９から日計決済結果データの登録完了通知が送られてきたら、決済端末１では、日計処理が終了したことを表示画面に表示する。
【００８８】
一方、サーバ９は、決済端末１から送られた日計結果（日計データ）を通信制御部２３を介して受信すると、通信処理部２５が、受信した電文から日計結果を抽出する。そして、取引管理部２６は、ファイル制御部２８に依頼して、前記日計データ（日計結果）を決済端末１毎に分けて、ファイル装置３０へ格納（登録）する。そして、登録完了通知を決済端末１へ送る。その後、取引管理部２６は、日計結果の精査を行い、異常取引有りか否かを判断する。
【００８９】
その結果、異常有りならば、異常取引アラームを、予め指定されたコンソールへ出力する。この場合の異常取引アラーム情報としては、端末ＩＤ、異常取引の処理通番、取引日時、取引内容（伝票イメージ）等である。また、異常でなければ、集計処理を行い、集計結果をファイル装置３０へ格納すると共に、その内容を加盟店本部のコンピュータへ送る。この場合の集計結果には、カード会社別、部門別、店別、加盟店全体のデータを含んでいる。また、加盟店本部への送信処理を行う。
【００９０】
§７：決済結果データの説明
図８は決済結果データの説明図である。前記決済結果データは、例えば、図８のようなデータを含んでいる。この例では、決済結果データには、「端末識別番号」、「取引日」、「時刻」、「金額」、「カード情報」、「商品コード」、「取引情報」、「ＰＩＮデータ」（利用者の暗証番号）・・・「メッセージ情報」等を含んでいると共に、更に、「加盟店控出力先」、「利用者控出力先」、「カード会社控出力先」等のデータを含んでいる。
【００９１】
この場合、前記「加盟店控出力先」は、例えば、コード番号１＝本部、２＝店舗プリンタであり、「利用者控出力先」は、コード番号１＝利用者情報ファイル、２＝店舗プリンタであり、前記「カード会社控出力先」は、コード番号１＝印字イメージファイル、２＝店舗プリンタである。
【００９２】
§８：サーバの具体的な装置例と記録媒体の説明
図９はサーバの具体的な装置例である。前記サーバー９は、ワークステーション、パーソナルコンピュータ等の任意のコンピュータにより実現することができる。この装置は、コンピュータ本体４０と、該コンピュータ本体４０に接続されたディスプレイ装置４１、入力装置（キーボード／マウス等）４２、リムーバブルディスクドライブ（「ＲＤＤ」という）４３、ハードディスク装置（「ＨＤＤ」という）４４等で構成されている。
【００９３】
そして、コンピュータ本体４０には、内部の各種制御や処理を行うＣＰＵ２１と、プログラムや各種データを格納しておくためのＲＯＭ４５（不揮発性メモリ）と、メモリ２２と、インタフェース制御部（「Ｉ／Ｆ制御部」という）４６と、通信制御部４７等が設けてある。なお、前記リムーバブルディスクドライブ（ＲＤＤ）４３には、フレキシブルディスクドライブや光ディスクドライブ等が含まれる。
【００９４】
前記構成の装置において、例えば、ハードディスク装置４４の磁気ディスク（記録媒体）に、前記サーバ９に設けた通信処理部２５と、取引管理部２６と、伝票出力部２７と、ファイル制御部２８の機能を実現させるためのプログラムを格納しておき、該プログラムをＣＰＵ２１が読み出して実行することにより、通信処理部２５と、取引管理部２６と、伝票出力部２７と、ファイル制御部２８等の各機能を実現する。
【００９５】
しかし、本発明は、このような例に限らず、例えば、ハードディスク装置４４の磁気ディスクに、次のようにして前記プログラムを格納し、このプログラムをＣＰＵ２１が実行することで前記処理を行うことも可能である。
【００９６】
▲１▼：他の装置で作成されたリムーバブルディスクに格納されているプログラム（他の装置で作成したプログラムデータ）を、リムーバブルディスクドライブ４３により読み取り、ハードディスク装置４４の記録媒体に格納する。
【００９７】
▲２▼：通信回線を介して他の装置から伝送されたプログラム等のデータを、通信制御部４７を介して受信し、そのデータをハードディスク装置４４の記録媒体（磁気ディスク）に格納する。
【００９８】
（付記）
前記の説明に対し、次の構成を付記する。
【００９９】
（付記１）
クレジットカードの決済を行う決済端末と、該決済端末と通信回線を介して接続されたサーバを含むクレジットカード処理システムのサーバにおいて、
前記決済端末から取引の都度送信されたクレジットカードの決済結果を受信する決済結果受信手段と、
前記受信した決済結果を、決済端末毎に分けてファイル装置に格納する決済結果格納手段と、
前記決済結果に関し、加盟店又はカード会社で保管すべきカード会社保管伝票はサーバ上に電子データとして保管すると共に、加盟店が伝票保管を行う場合はそのままサーバ上に保管し、伝票照会を受けた時に電子データを検索して出力するカード会社保管伝票管理手段と、
加盟店毎に、予め登録しておいた情報を用いて、決済結果データを加盟店本部に即時又は一括送信する加盟店控伝票処理手段と、
利用者の個々の都合に合わせて、前記決済結果を基に他のシステムへ送信可能にした利用者控え伝票処理手段を備えていることを特徴とするクレジットカード処理システムのサーバ。
【０１００】
（付記２）
前記決済結果を基に、利用者控え、加盟店控え、カード会社控えを、予め登録しておいた情報を用いて加盟店毎に出力先を選択する出力先判定手段を備えていることを特徴とする（付記１）記載のクレジットカード処理システムのサーバ。
【０１０１】
（付記３）
クレジットカードの決済を行う決済端末と、該決済端末と通信回線を介して接続されたサーバを含むクレジットカード処理システムのサーバにおいて、
前記決済端末で実施した日計処理の結果を受信する日計処理結果受信手段と、前記受信した日計処理結果を、決済端末毎に分けてファイル装置に格納する日計処理結果格納手段と、
決済端末毎の日計処理結果をチェックし、異常取引に該当する加盟店控え伝票データを検索して、加盟店指定のコンソールに出力する異常取引出力制御手段と、
決済端末毎の日計処理結果を集計して、カード会社毎、部門毎、店毎、或いは加盟店全体等のデータを集計する集計手段とを備えていることを特徴とする請求項１記載のクレジットカード処理システムのサーバ。
【０１０２】
（付記４）
コンピュータに、
前記決済端末から取引の都度送信されたクレジットカードの決済結果を受信する決済結果受信手段と、
前記受信した決済結果を、決済端末毎に分けてファイル装置に格納する決済結果格納手段と、
前記決済結果に関し、加盟店又はカード会社で保管すべきカード会社保管伝票はサーバ上に電子データとして保管すると共に、加盟店が伝票保管を行う場合はそのままサーバ上に保管し、伝票照会を受けた時に電子データを検索して出力するカード会社保管伝票管理手段と、
加盟店毎に、予め登録しておいた情報を用いて、決済結果データを加盟店本部に即時又は一括送信する加盟店控伝票処理手段と、
利用者の個々の都合に併せて、決済結果を基に他のシステムへ送信可能にした利用者控え伝票処理手段の機能を実現させるためのプログラムを格納したコンピュータ読みとり可能な記録媒体。
【０１０３】
（付記５）
コンピュータに、
前記決済端末から取引の都度送信されたクレジットカードの決済結果を受信する決済結果受信手段と、
前記受信した決済結果を、決済端末毎に分けてファイル装置に格納する決済結果格納手段と、
前記決済結果に関し、加盟店又はカード会社で保管すべきカード会社保管伝票はサーバ上に電子データとして保管すると共に、加盟店が伝票保管を行う場合はそのままサーバ上に保管し、伝票照会を受けた時に電子データを検索して出力するカード会社保管伝票管理手段と、
加盟店毎に、予め登録しておいた情報を用いて、決済結果データを加盟店本部に即時又は一括送信する加盟店控伝票処理手段と、
利用者の個々の都合に併せて、決済結果を基に他のシステムへ送信可能にした利用者控え伝票処理手段の機能を実現させるためのプログラム。
【０１０４】
（付記６）
コンピュータに、
前記決済端末で実施した日計処理の結果を受信する日計処理結果受信手段と、前記受信した日計処理結果を、決済端末毎に分けてファイル装置に格納する日計処理結果格納手段と、
決済端末毎の日計処理結果をチェックし、異常取引に該当する加盟店控え伝票データを検索して、加盟店指定のコンソールに出力する異常取引出力制御手段と、
決済端末毎の日計処理結果を集計して、カード会社毎、部門毎、店毎、或いは加盟店全体等のデータを集計する集計手段の機能を実現させるためのプログラムを格納したコンピュータ読みとり可能な記録媒体。
【０１０５】
（付記７）
コンピュータに、
前記決済端末で実施した日計処理の結果を受信する日計処理結果受信手段と、前記受信した日計処理結果を、決済端末毎に分けてファイル装置に格納する日計処理結果格納手段と、
決済端末毎の日計処理結果をチェックし、異常取引に該当する加盟店控え伝票データを検索して、加盟店指定のコンソールに出力する異常取引出力制御手段と、
決済端末毎の日計処理結果を集計して、カード会社毎、部門毎、店毎、或いは加盟店全体等のデータを集計する集計手段の機能を実現させるためのプログラム。
【０１０６】
【発明の効果】以上説明したように、本発明によれば次のような効果がある。
【０１０７】
（１）　：請求項１、４、５では、決済結果受信手段は、決済端末から取引の都度送信された決済結果を受信し、決済結果格納手段は、受信した決済結果を、前記決済端末毎に分けてファイル装置に格納する。
【０１０８】
また、カード会社保管伝票管理手段は、前記決済結果に関し、加盟店又はカード会社で保管すべきカード会社保管伝票はサーバ上に電子データとして保管すると共に、加盟店が伝票保管を行う場合はそのままサーバ上に保管し、伝票照会を受けた時に電子データを検索して出力する。
【０１０９】
また、加盟店控伝票処理手段は、加盟店毎に、予め登録しておいた情報を用いて、決済結果データを加盟店本部に即時又は一括送信する。更に、利用者控え伝票処理手段は、利用者の個々の都合に合わせて決済結果を基に他のシステムへ送信する処理を行う。
【０１１０】
このようにすれば、決済端末での伝票印字出力（紙の出力）をやめることで、伝票データをサーバにてまとめて電子的に保管し、運用するか、又はサーバにて必要な伝票のみまとめて印字するようにして、決済端末でのペーパーレス化を図ることができる。従って、従来のように決済端末１に伝票プリンタを搭載する必要がなくなり、該決済端末の小型化、軽量化、コスト低減に寄与すると共に、より汎用的な装置で決済を実施可能にすることができる。
【０１１１】
（２）　：請求項２では、出力先判定手段は、決済結果を基に、利用者控え、加盟店控え、カード会社控えを、予め登録しておいた情報を用いて、加盟店毎に出力先を選択する。このようにすれば、利用者（顧客）のサービス向上を図ることができる。
【０１１２】
（３）　：請求項３では、日計処理結果受信手段は、決済端末で実施した日計処理の結果を、決済端末から受信し、日計処理結果格納手段は、受信した日計処理結果を、決済端末毎に分けてファイル装置に格納する。
【０１１３】
そして、異常取引出力制御手段は、決済端末毎の日計処理結果をチェックし、異常取引に該当する加盟店控え伝票データを検索して、加盟店指定のコンソールに出力する。更に、集計手段は、決済端末毎の日計処理結果を集計して、カード会社毎、部門毎、店毎、或いは加盟店全体等のデータを集計する。このようにすれば、加盟店の省力化、システム化進展に寄与するところが大きい。
【図面の簡単な説明】
【図１】本発明の原理説明図である。
【図２】本発明の実施の形態におけるシステムの構成図である。
【図３】本発明の実施の形態における処理概要の説明図である。
【図４】本発明の実施の形態におけるシステムの処理説明図である。
【図５】本発明の実施の形態における例１の説明図である。
【図６】本発明の実施の形態における例２の説明図である。
【図７】本発明の実施の形態における例３の説明図である。
【図８】本発明の実施の形態における決済結果データの説明図である。
【図９】本発明の実施の形態におけるサーバの具体的な装置例である。
【図１０】従来のシステムの説明図である。
【図１１】従来の処理説明図である。
【符号の説明】
１　決済端末
２　伝票プリンタ
５、６、７　コンピュータ
９　サーバ
１１、２１　ＣＰＵ
１２、２２　メモリ
１３、２５　通信処理部
１４、２３、２４　通信制御部
１５　カード決済処理部
１６　カード入力部
１７　表示部
１８　キー入力部
２６　取引管理部
２７　伝票出力部
２８　ファイル制御部
２９　伝票プリンタ
３０　ファイル装置
【図１】
2004038834.tif 000003
【図２】
2004038834.tif 000004
【図３】
2004038834.tif 000005
【図４】
2004038834.tif 000006
【図５】
2004038834.tif 000007
【図６】
2004038834.tif 000008
【図７】
2004038834.tif 000009
【図８】
2004038834.tif 000010
【図９】
2004038834.tif 000011
【図１０】
2004038834.tif 000012
【図１１】
2004038834.tif 000013